(57)【要約】【課題】  両面印刷された枚葉紙が吸引車の支軸に接触して下面の印刷面に傷が付くことを抑制することができる両面印刷機の排紙部を提供する。【解決手段】  本発明に係る両面印刷機の排紙部は、印刷済みの枚葉紙を排紙場所の上方位置まで搬送するグリッパを備えた搬送チェーンと、搬送チェーンの下方であって排紙場所の上方位置の手前に配置された枚葉紙の幅方向に伸びる支軸と、この支軸に間隔をおいて複数取り付けられ、その周面に吸引口を有し、回転可能な吸引車とを備えた両面印刷機の排紙部であって、吸引車の搬送方向に直前の領域に上昇気流を発生させる上昇気流発生手段を備えていることを特徴とする。【選択図】図１
2008214079.tif 000002
【特許請求の範囲】
【請求項１】
印刷済みの枚葉紙（Ｐ）を排紙場所（２）の上方位置まで搬送するグリッパ（３１）を備えた搬送チェーン（３）と、搬送チェーン（３）の下方であって排紙場所（２）の上方位置の手前に配置された枚葉紙（Ｐ）の幅方向に伸びる支軸（４１）と、この支軸（４１）に間隔をおいて複数取り付けられ、その周面（４２）に吸引口（４３）を有し、回転可能な吸引車（４）とを備えた両面印刷機の排紙部であって、
吸引車（４）の搬送方向直前の領域に上昇気流（Ｗ）を発生させる上昇気流発生手段(５，６２，６３，６４，６５)を備えていることを特徴とする両面印刷機の排紙部。
【請求項２】
搬送チェーン（３）の左右両側及び上側を覆う遮風体（１１，７１，７２）を備え、上昇気流発生手段(５，６２，６３，６４，６５)は、遮風体（１１，７１，７２）の上面（７１，７２）に開口部（５１）を有して遮風体（１１，７１，７２）内の空気を上方に吸引する吸引ダクト（５）であることを特徴とする請求項１記載の両面印刷機の排紙部。
【請求項３】
吸引ダクト（５）の開口部（５１）は、搬送チェーン（３）のグリッパ（３１）が枚葉紙（Ｐ）を放したときの枚葉紙（Ｐ）の紙尻（Ｐ３）の真上位置から吸引車（４）の頂点（Ｐ２）の真上位置までの範囲に少なくとも設けられていることを特徴とする請求項２記載の両面印刷機の排紙部。
【請求項４】
吸引ダクト（５）の開口部（５１）は、排紙場所（２）における枚葉紙（Ｐ）の紙尻（Ｐ３）の真上位置よりも搬送方向上流側に位置していることを特徴とする請求項３記載の両面印刷機の排紙部。
【請求項５】
上昇気流発生手段(５，６２，６３，６４，６５)は、上方に排気口(６２ａ，６３ａ，６４ａ，６５ａ)を有する送風ファン(６２，６３，６４，６５)であり、この送風ファン(６２，６３，６４，６５)は、吸引車（４）の搬送方向直前位置であって搬送チェーン（３）によって搬送される枚葉紙（Ｐ）の上方位置に配置されていることを特徴とする請求項１記載の両面印刷機の排紙部。
【請求項６】
搬送チェーン（３）は無端状であり、この搬送チェーン（３）における排紙場所（２）の上方位置に向かう往路（３Ａ）と枚葉紙（Ｐ）を放した後に往路（３Ａ）の上方を逆向きに戻る復路（３Ｂ）との間に前記送風ファン(６２，６３，６４，６５)が配置されていることを特徴とする請求項５記載の両面印刷機の排紙部。
【発明の詳細な説明】
【技術分野】
【０００１】
本発明は、印刷機の印刷部で印刷された枚葉紙を所定の排紙場所へ排紙する印刷機の排紙部に関し、特に、上面及び下面の両面が印刷された枚葉紙を排紙する両面印刷機の排紙部に関する。
【背景技術】
【０００２】
従来、両面印刷機の印刷部で両面印刷された枚葉紙を排紙する印刷機の排紙部としては、印刷済みの枚葉紙を排紙場所の上方位置まで搬送するグリッパを備えた搬送チェーンと、搬送チェーンの下方であって排紙場所の上方位置の手前に配置された枚葉紙の幅方向に伸びる支軸と、この支軸に間隔をおいて複数取り付けられ、その周面に吸引口を有すると共に搬送チェーンより遅い周速で回転する吸引車とを備えたものが公知である（例えば、特許文献１参照）。
【特許文献１】特開２００３−３１２９１９公報
【０００３】
このような構成の印刷機の排紙部にあっては、両面を印刷された枚葉紙は、搬送チェーンのグリッパにより搬送され、排紙場所の上方位置の手前に配置されている吸引車を通過する際にその吸引車の周面によって吸着される。従って、枚葉紙はその前端部をグリッパに掴まれて搬送され且つその紙尻側が吸引車の周面で吸着されるので、枚葉紙の搬送方向においてピンと張られてバタつきが抑えられた状態で搬送されることとなる。
【０００４】
そして、グリッパが排紙場所の上方の所定の位置で枚葉紙を放すと、枚葉紙はその紙尻側が吸引車の周面で吸着されているので、排紙場所上方位置の手前で減速されて排紙場所に正確に落下することとなる。
【発明の開示】
【発明が解決しようとする課題】
【０００５】
しかしながら、上記従来の両面印刷機の排紙部にあっては、グリッパが枚葉紙を放すと、枚葉紙は吸引車の周面でのみ支持されることとなるので、腰の弱い紙厚の薄い枚葉紙の場合には、吸引車と吸引車の間で下方に撓んで吸引車を支持している支軸及びその周辺の部品に枚葉紙が当たる場合があった。また、グリッパが枚葉紙を放す直前においても、枚葉紙の幅方向においては撓みが発生し、上記支軸等に枚葉紙があたる場合があった。搬送されてくる枚葉紙はその下面も印刷面となっているので支軸に接触するとその下面の印刷面に傷がついてしまうという問題があった。
【０００６】
そこで、本発明は、上記従来の問題に鑑みてなされ、両面印刷された枚葉紙が吸引車の支軸に接触して下面の印刷面に傷が付くことを抑制することができる両面印刷機の排紙部を提供することを課題とする。
【課題を解決するための手段】
【０００７】
本発明は、上記課題を解決すべくなされたものであり、本発明に係る両面印刷機の排紙部は、印刷済みの枚葉紙を排紙場所の上方位置まで搬送するグリッパを備えた搬送チェーンと、搬送チェーンの下方であって排紙場所の上方位置の手前に配置された枚葉紙の幅方向に伸びる支軸と、この支軸に間隔をおいて複数取り付けられ、その周面に吸引口を有し、回転可能な吸引車とを備えた両面印刷機の排紙部であって、吸引車の搬送方向に直前の領域に上昇気流を発生させる上昇気流発生手段を備えていることを特徴とする。
【０００８】
該構成の両面印刷機の排紙部にあっては、上昇気流発生手段が吸引車の直前の領域で上昇気流を発生させるので、吸引車の直前で枚葉紙が上昇気流により上方へ浮上しようとする。従って、枚葉紙が腰の弱い紙厚の薄いものであっても、吸引車と吸引車との間で下方に撓みが生じることはなく、あるいはその撓み量が少なくなる。そのためグリッパが枚葉紙を放す前後において枚葉紙が吸引車の支軸と接触することなく排紙場所へ移動していく。
【０００９】
特に、搬送チェーンの左右両側及び上側を覆う遮風体を備え、上昇気流発生手段は、遮風体の上面に開口部を有して遮風体内の空気を上方に吸引する吸引ダクトであることが好ましい。吸引ダクトという簡単な構成によって容易に上昇気流を発生させることができ、しかも、搬送チェーンの所定部分を遮風体で覆っているので確実に上昇気流を発生させることができる。
【００１０】
また、吸引ダクトの開口部は、搬送チェーンのグリッパが枚葉紙を放したときの枚葉紙の紙尻の真上位置から吸引車の頂点の真上位置までの範囲に少なくとも設けられていることが好ましい。搬送チェーンのグリッパが枚葉紙を放したときに枚葉紙の紙尻から吸引車の頂点の位置までの範囲に少なくとも上昇気流を発生させることができるので、グリッパが枚葉紙を放す直前において吸引車から紙尻までの枚葉紙の部分には上方へ浮上しようとする力が生じることとなる。従って、グリッパが枚葉紙を放す前後に吸引車から紙尻までの枚葉紙の部分が吸引車と吸引車との間で下方に撓むということが防止できることになる。
【００１１】
また更に、吸引ダクトの開口部は、排紙場所における枚葉紙の紙尻の真上位置よりも搬送方向上流側に位置していることが好ましく、排紙場所で上昇気流が発生することを防止して、枚葉紙を排紙場所へ正確に落下させることができる。
【００１２】
また、上昇気流発生手段は、上方に排気口を有する送風ファンであり、この送風ファンは、吸引車の搬送方向直前位置であって搬送チェーンによって搬送される枚葉紙の上方位置に配置されていることが好ましい。上向きの送風ファンを上昇気流発生手段として採用することで、送風ファンという簡単な構成で容易に上昇気流を発生させることができる。しかも送風ファンであるのでその配置の自由度も比較的大きいという利点もあるうえに、送風ファンによって吸引車直前の領域に直接上昇気流を発生させることができるので、確実に上昇気流をその領域に発生させることができる。
【００１３】
更に、搬送チェーンは無端状であり、この搬送チェーンにおける排紙場所の上方位置に向かう往路と枚葉紙を放した後に往路の上方を逆向きに戻る復路との間に前記送風ファンが配置されていることが好ましい。搬送されてくる枚葉紙に近い位置に送風ファンが配置できるので、送風ファンの風量が少なくても十分な上昇気流を発生できる。
【発明の効果】
【００１４】
このように、本発明にかかる両面印刷機の排紙部にあっては、吸引車の搬送方向直前の領域に上昇気流を発生させる上昇気流発生手段を備えているので、グリッパが枚葉紙を放す前後に吸引車と吸引車との間において枚葉紙が下方に撓んでその下面が支軸に接触するということを防止でき、従って腰の弱い薄紙を使用した場合でもその下面の印刷面の傷付きを確実に防止することができる。
【発明を実施するための最良の形態】
【００１５】
以下、本発明に係る両面印刷機の排紙部の一実施形態について図面を参酌しつつ説明する。
【００１６】
本実施形態における両面印刷機の排紙部は、図１及び図２に示すように、印刷済みの枚葉紙Ｐを排紙場所としての排紙台２の上方位置まで搬送するグリッパ３１を備えた搬送チェーン３と、搬送チェーン３の下方であって排紙台２の上方位置の手前に配置された枚葉紙Ｐの幅方向に伸びる支軸４１と、この支軸４１に間隔をおいて複数取り付けられ、その周面４２に吸引口４３を有すると共に搬送チェーン３より遅い周速で回転する吸引車４と、吸引車４の搬送方向直前すなわち吸引車４の上流側のすぐ手前の領域Ａに上昇気流Ｗを発生させる上昇気流発生手段としての吸引ダクト５とを備えている。以下、具体的に説明する。
【００１７】
搬送チェーン３は、無端状でありフレーム１１，１１同士の間に枚葉紙Ｐの幅方向に左右一対設けられている。さらに、左右一対の搬送チェーン３は、所定間隔を空けて複数のグリッパ３１を備えていて、搬送チェーン３の回転する軌道に沿ってグリッパ３１も移動する。搬送チェーン３の経路は、排紙台２の上方位置へ向かう往路３Ａとグリッパ３１が枚葉紙Ｐを放した後に往路３Ａの上方を逆向きに戻る復路３Ｂとがある。グリッパ３１は、搬送チェーン３の経路に沿って印刷された枚葉紙Ｐの前端部Ｐ１を掴んで斜め上方へ移動して、水平方向で排紙台２の上方位置までくると水平に下流側へ移動して、排紙台２の上方位置までくるとその位置で枚葉紙Ｐを放す。そして、枚葉紙Ｐを放したグリッパ３１は、搬送チェーン３の経路に沿って復路３Ｂを移動して再び印刷部で印刷された枚葉紙Ｐを掴むこととなる。
【００１８】
搬送チェーン３の下方であって排紙台２の上方位置の手前には複数の吸引車４が枚葉紙Ｐの幅方向に配置されている。吸引車４は、枚葉紙Ｐの幅方向に伸びる支軸４１に並列に間隔をあけて３個取り付けられており、支軸４１が回転することで吸引車４も回転する。具体的には、吸引車４は、支軸４１の中央及び左右の位置に各々配置されており、左右の吸引車４は枚葉紙Ｐの幅に応じて軸方向に移動できるようになっている。つまり、印刷される枚葉紙Ｐの幅が広い場合は左右の吸引車４の間隔も広くして、枚葉紙Ｐの幅が狭い場合は左右の吸引車４の間隔も狭くする。また、各々の吸引車４の周面４２には、吸引力が付与されている吸引口４３が周方向に所定間隔を空けて複数設けられており、吸引口４３での吸引により吸引車４の上方位置を通過する枚葉紙を吸引することとなる。さらに、吸引車４が取り付けられている支軸４１はその中央の２箇所と左右の２箇所との計４箇所で回動可能に支持されている。具体的には、左右のフレーム１１，１１の内面１２，１２同士を掛け渡すように軸受けを備えたステー１６が設けられ、そのステー１６の中央の吸引車４の両脇位置には軸受けを有するＬ字状のブラケット１７，１７が備えられ、この４箇所の軸受けで支軸４１を支持している。さらに、支軸４１の片方の端部にはスプロケット１８が取り付けられており、そのスプロケット１８は駆動チェーン１９を介して駆動用モータＭの駆動力を伝達されており、支軸４１の回転により吸引車４が回転する。支軸４１により回転駆動を伝達される吸引車４の周速は搬送チェーン３の周速より遅い速度に設定されている。尚、本実施形態の吸引車４は支軸４１に並列に３つ取り付けられているが、３つに限らず左右両側に２つ、あるいは所定間隔をあけて５つ取り付けられているものでもよい。その際、中央の吸引車４を取外し可能とし、左右両側に２つずつのセットにすることもできる。尚、吸引車４及び支軸４１は搬送方向に移動可能に設けられており、印刷する枚葉紙Ｐの縦寸法（天地方向の寸法）によりその配置を変更することができる。
【００１９】
排紙部は、搬送チェーン３の左右両側及び上側を覆う遮風体を備え、遮風体の上面には開口部５１が形成されて吸引ダクト５は遮風体内の空気を上方に吸引している。具体的には、遮風体は、搬送チェーン３の左右両側に位置する左右のフレーム１１，１１と、そのフレーム１１，１１の上面１１ａ，１１ａ同士を掛け渡すように取り付けられて排紙部の上面を覆うカバー７１，７２とから構成される。カバー７１，７２は、吸引ダクト５の下流側に隣接してフレーム１１の下流の端まで伸びる下流側のカバー７１と、吸引ダクト５の上流側に隣接する上流側のカバー７２である。上流側のカバー７２は、排紙部の上流側の図示しない印刷済みの枚葉紙の乾燥機のための遮光板としても用いられているので、その乾燥機を設置した手前の位置まで伸びている。さらに、吸引ダクト５は、その内部に吸引ファン５２を備え、印刷する枚葉紙Ｐの紙厚や幅等によって吸い込む風量が調節可能である。尚、吸引ダクト５は搬送方向に移動可能に設けられており、吸引車４及び支軸４１の移動に伴って吸引ダクト５も移動させることができる。
【００２０】
吸引ダクト５の開口部５１の配置についてさらに詳しく説明すると、吸引ダクト５の開口部５１は、左右のフレーム１１，１１の内面１２，１２の間全体が開口している。そして、搬送方向において開口部５１は、搬送チェーン３が斜め上方から水平方向へその移動方向を変えるカーブの始まりの開始地点Ｄの真上位置から吸引車４の頂点Ｐ２より下流側の部分の真上位置まで開口している。
【００２１】
また、本実施形態における排紙部には、搬送チェーン３のグリッパ３１により搬送されてくる枚葉紙Ｐのばたつきや跳ね上がりを防止して、枚葉紙Ｐが所定の姿勢で移動するように誘導するための風量調節可能な送風ファン６１、６２，６３，６４，６５，６６が設けられている。各々の送風ファン６１、６２，６３，６４，６５，６６は、搬送チェーン３の往路３Ａと復路３Ｂとの上下間に位置すると共に、枚葉紙Ｐの幅方向においては左右一対の搬送チェーン３，３間に位置している。
【００２２】
搬送方向の上流側から第２番目の送風ファン６５は、搬送チェーン３の起動が斜め上方から水平方向へ変わったストレート部の付近であり吸引車４の直前位置すなわち吸引車４の上流側すぐ手前に配置され、幅方向に並列に３個配置されている。この上流側から第２番目の送風ファン６５は下方に向けて排気するべく排気口６５ａが下方に向けて配置されている。さらに、送風ファン６５の配置には、並列に並べられた３個の送風ファン６５，６５，６５を固定する２種類の枠体１４と、その枠体１４を支持するための２本の棒体１３ａ，１３ａと、その棒体１３ａ，１３ａを左右のフレーム１１，１１に固定するためのステー１３ｂ，１３ｂとが用いられる。具体的には、図１及び図２及び図７に示されるように、枠体１４は、搬送方向の断面視で矩形状に形成され、３個の送風ファン６５を挟み込むように幅方向に伸びる１対の横フレーム１４ａと、各々横フレーム１４ａの端部間を挟み込むように搬送方向に伸びる１対の縦フレーム１４ｂとからなる。この枠体１４の縦フレーム１４ｂの端部をそれぞれ棒体１３ａ，１３ａで支持して、その棒体の両端を左右のフレーム１１，１１のステー１３ｂ，１３ｂに取り付けることで送風ファン６５は所定の位置に配置される。送風ファン６５の配置に枠体１４を用いることで送風ファン６５の上部及び下部は開放され、しかも、幅方向に３個並んだ送風ファン６５の間には十分な隙間をもつことができる。
【００２３】
また、搬送方向の最も上流側に配置された送風ファン６６は、搬送チェーン３の軌道が斜め上方から水平方向へ変化するカーブの付近の上方で幅方向に並列に３個配置されており、そのカーブに向かって排気するべく排気口６６ａが下流側斜め下方に向けられている。そして、配置には上記した枠体構造を利用することで送風ファン６６の上部及び下部は開放され、幅方向に送風ファン６６同士も十分な隙間をもつこととなる。
【００２４】
但し、最も上流側に配置された送風ファン６６と上流側から２番目に配置された送風ファン６５とは、搬送チェーン３の周速が高速である片面印刷の場合に作動させるものである。つまり、グリッパ３１が搬送チェーン３の軌道に沿って、斜め上方から水平方向へ移動していく際に、搬送チェーン３の周速が高速の場合は、枚葉紙のグリッパ３１に掴まれていない紙尻側が跳ね上がることがある。この枚葉紙Ｐの跳ね上がりを抑えるために送風ファン６５によって搬送経路の上方から下方へ向けてエアを吹きつける。従って、搬送チェーン３の周速が遅い両面印刷の場合は枚葉紙Ｐの下面にも印刷がされているので、跳ね上がることは少ないうえに、これらの送風ファン６５，６６を使用することはない。
【００２５】
吸引車４の下流側で排紙台２の上方位置には枚葉紙Ｐの搬送方向に４列並びさらに枚葉紙Ｐの幅方向に4個並んで配置された風量調節可能な合計１６個の送風ファン６１，６２，６３，６４が設けられている。各々の送風ファン６１，６２，６３，６４は、排気口６１ａ，６２ａ，６３ａ，６４ａを下方に向けて吸気口６１ｂ，６２ｂ，６３ｂ，６４ｂを上方に向けて配置されている。これらの送風ファン６１，６２，６３，６４の配置には、上述した送風ファン６５と同様に矩形状のフレームの組み合わせで枠体を形成しフレーム１１に設置されている。従って、ファンの上部及び下部は開放されており、送風ファン６１，６２，６３，６４同士の隙間も十分確保されている。この送風ファン６１，６２，６３，６４は、搬送経路の上方から下方へ向けてエアを吹き付ける。従って、吸引車４を通過した下流側の枚葉紙Ｐは、枚葉紙Ｐの上方より下方へ沈もうとする気流Ｗ２を受け、グリッパ３１が枚葉紙Ｐを放した後は、その気流Ｗ２により排紙台２へ確実に落下することとなる。
【００２６】
本実施形態の両面印刷機は、片面印刷と両面印刷とが切替可能なタイプであり、片面印刷の場合は、送風ファン６５，６６も作動させる一方、吸引ダクト５の吸引ファン５２は作動させない。従って、片面印刷の場合には上昇気流Ｗは発生しない。その一方、両面印刷の場合には、送風ファン６５，６６は作動させずに吸引ダクト５の吸引ファン５２を作動させる。従って、吸引車４の直前の領域Ａで上昇気流Ｗが発生し、吸引車４の直前で枚葉紙Ｐが上昇気流Ｗにより上方へ浮上しようとする。従って、グリッパ３１が枚葉紙Ｐを放した直後に吸引車４と吸引車４との間において枚葉紙Ｐが下方に撓んでその下面が支軸４１に接触するということを防止でき、たとえ腰の弱い薄紙を使用した場合でもその下面の印刷面の傷付きを確実に防止することができる。また、送風ファン６５，６６は停止しているので吸引ダクト５による上昇気流Ｗが送風ファン６５，６６により遮られることはなく、確実に上昇気流Ｗを発生させることができる。
【００２７】
また、搬送チェーン３の左右両側及び上側が遮風体としてのフレーム１１，１１及びカバー７１，７２で囲まれているので、確実に上昇気流Ｗを発生させることができる。
【００２８】
更に、吸引ダクト５の開口部５１は、水平方向の移動に枚葉紙Ｐが変わるカーブの開始位置Ｄの真上位置から吸引車４の頂点Ｐ２より少し下流側までの領域Ａに上昇気流Ｗを発生させることができるので、枚葉紙Ｐが水平移動に軌道を変える手前からグリッパ３１が枚葉紙Ｐを放す直前において吸引車４までの枚葉紙Ｐの部分には上方へ浮上しようとする力が生じることとなる。従って、グリッパ３１が枚葉紙Ｐを放す前後に吸引車４から紙尻Ｐ３までの枚葉紙Ｐの部分が吸引車４と吸引車４との間で下方に撓むということが防止できるだけでなく、枚葉紙Ｐが水平移動する際の紙尻Ｐ３の垂れ下がりも防止できる。
【００２９】
また更に、吸引ダクト５の開口部５１は、下方へ送風する送風ファン６４よりも搬送方向上流側に位置しているので、排紙台２への落下を促すように設けられた送風ファン６１，６２，６３，６４の気流Ｗ２と吸引ダクト５による上昇気流Ｗとが干渉することはない。つまり、枚葉紙４が吸引車４を通過した後には、送風ファン６１，６２，６３，６４によって下向きの気流Ｗ２が発生しており、その気流Ｗ２により枚葉紙Ｐを排紙台２へ正確に落下させることができる。
【００３０】
そして、枚葉紙Ｐはその前端部Ｐ１をグリッパ３１で掴まれその紙尻側を吸引車４の周面４２で吸引されているので、ピンと張った状態で搬送される。従って、グリッパ３１が枚葉紙Ｐを放すまでバタつくことなく搬送される。さらに、吸引車４は搬送チェーン３の搬送速度より遅い周速で回転していて、枚葉紙Ｐはその紙尻側が吸引車４の周面４２で吸着されているので、グリッパ３１が排紙台２の上方の所定の位置で枚葉紙Ｐを放すと、排紙台２上方位置の手前で減速されて排紙台２に正確に落下することとなる。
【００３１】
また、排紙台２の上方で吸引車４の下流側に配置されている搬送方向に４列並べられた送風ファン６１，６２，６３，６４の排気口６１ａ，６２ａ，６３ａ，６４ａは各々下方に向けられているので、排紙台２の上方位置には下方へ流れる気流Ｗ２が発生するので、排紙台２の上方位置には吸引車４を通過した下流側の枚葉紙Ｐは下方へ沈もうとする。従って、枚葉紙Ｐは排紙台２へ正確に落下することができる。
【００３２】
尚、上記実施形態では、吸引ダクト５の開口部５１は、排紙台２の上方に設けられた送風ファン６４の上流側に配置されたが、排紙台２上方の送風ファン６１，６２，６３，６４を省略する場合には、少なくとも排紙台２における枚葉紙Ｐの紙尻Ｐ３の真上位置よりも搬送方向上流側に位置しておればよい。何れにしても、吸引車４の周面４２で支持されている際の枚葉紙Ｐの幅方向の撓みを解消すればよい。
【００３３】
また、吸引ダクト５の開口部５１は、搬送チェーン３のグリッパ３１の移動が斜め上方から水平方向に軌道を変え始める開始位置Ｄの真上位置から搬送チェーン３のグリッパ３１が枚葉紙Ｐを放したときの吸引車４の頂点Ｐ２の少し下流側位置までの領域Ａに設けられたが、吸引ダクト５の開口部５１は、搬送チェーン３のグリッパ３１が枚葉紙Ｐを放しときの枚葉紙Ｐの紙尻Ｐ３の真上位置から吸引車４の頂点Ｐ２の真上位置までの領域Ｂに少なくとも設けられておればよい。但し、開口部５１を搬送チェーン３のグリッパ３１の移動が斜め上方から水平方向に軌道を変え始める開始位置Ｄの真上位置まで広げることで、吸引車４での枚葉紙Ｐの幅方向の撓みを解消するだけでなく、枚葉紙Ｐが水平方向を移動する際の紙尻側の垂れ下がりも防ぐことができ、枚葉紙Ｐは水平状態を保ちながら吸引車４へ移動することなり、垂れ下がったまま吸引車４の周面４２に枚葉紙Ｐが衝突することを防止できるという利点がある。
【００３４】
また、吸引車４の搬送方向直前の領域に上昇気流Ｗを発生させるために吸引ダクト５を搬送チェーン３の上方に設けたが、吸引車４の搬送方向直前の領域を通過する枚葉紙Ｐの下方より上向きに送風する送風ファンを設けてもよい。但し、枚葉紙Ｐの下方より空気を送風すると気流が枚葉紙Ｐに当たった後に下流側へ流れて行き排紙台２での枚葉紙Ｐの落下を妨げる恐れがある。従って、上昇気流Ｗは、通過する枚葉紙Ｐの上方より吸い上げることにより発生させることが好ましい。
【００３５】
上記実施形態において吸引車４及び支軸４１は枚葉紙Ｐの縦寸法の大きさによって下流側へ移動することができ、吸引車４の移動に伴って吸引ダクト５も移動することができる。印刷される枚葉紙の縦寸法が最も短いサイズのときの吸引車４の配置を図３に示す。吸引車４は、下方に向けて送風される送風ファン６１，６２，６３，６４の下流側から第２番目の送風ファン６２の下方位置まで移動される。その移動に伴って、吸引ダクト５は、吸引車４との相対位置を同じにすべく下流側の第２番目の送風ファン６２の上方へ移動される。吸引ダクト５の移動に伴ってフレーム１１の上面１１ａのカバー７１，７２も変更する。従って、吸引ダクト５が移動範囲のどの位置に配置されても確実に上昇気流Ｗを発生させることができる。また更に、下方へ向けて送風される送風ファン６１，６２，６３，６４は風量調節可能であるので、吸引ダクト５の上昇気流Ｗの発生する領域Ａ内に位置する下流側から第２番目から第４番目の送風ファン６２，６３，６４は起動させなければ、上昇気流Ｗと干渉することはない。さらに、送風ファン６１，６２，６３，６４の配置には通気に十分な隙間を有して配置されているので、吸引ダクト５による上昇気流Ｗが送風ファン６５により遮られることはなく、確実に上昇気流Ｗを発生させることができる。つまり、吸引ダクト５の移動に伴って、吸引ダクト５の開口部５１よりも上流側に位置する送風ファン６２，６３，６４を停止させることで、吸引ダクト５は確実に上昇気流Ｗを発生させることができ、吸引車４が枚葉紙Ｐの縦寸法によって移動しても、吸引車４の直前で上昇気流Ｗにより枚葉紙Ｐが上方へ浮上しようとする。従って、枚葉紙Ｐのサイズを変更してもそれに応じて吸引車４及び吸引ダクト５の位置を変更し、また送風ファン６２，６３，６４の風量を調節することで、枚葉紙Ｐが腰の弱い薄紙であっても、吸引車４と吸引車４との間で枚葉紙Ｐが下方に撓むことはない。さらに、枚葉紙Ｐが吸引車４を通過して排紙台２の上方へ移動しても、排紙台２の上方位置に配置された送風ファン６１が下向きに気流Ｗ２を発生させているので、確実に排紙台２に落下させることができる。
【００３６】
本実施形態では上昇気流発生手段として吸引ダクト５を利用したが、吸引ダクト５に限らず他の構成機器を用いてもよい。以下、図４及び図５を用いて説明する。図４及び図５に示す両面印刷機の排紙部は、図１〜図３で示した両面印刷機の排紙部の吸引ダクト５とカバー７１とを除いた構成と同一のものである。具体的には、上昇気流発生手段は、吸引ダクト５の代わりに上方に排気口６５ａを有する送風ファン６５が利用される。この送風ファン６５は、吸引車４の搬送方向直前位置であって搬送チェーン３によって搬送される枚葉紙Ｐの上方位置に配置されており、この送風ファン６５は、前述した第一の実施形態の送風ファン６５を上下逆向きに取り付けたものである。また、送風ファン６５の上方には上昇気流Ｗを排紙部の上へ排気するために網目状で通気に十分な隙間を有した網目カバー７３が設けられている。編目カバー７３は、左右のフレーム１１，１１の上面１１ａ，１１ａを掛け渡すように設けられて、搬送方向における上昇気流発生手段としての送風ファン６５の上方位置からフレーム１１の下流の端までを覆っている。
【００３７】
また、上昇気流発生手段に送風ファン６５を用いる場合でも吸引車４及び支軸４１は枚葉紙Ｐの縦寸法の大きさによって下流側へ移動することができ、その移動に伴って上昇気流Ｗは発生させる領域も変更することができる。枚葉紙の縦寸法が最も短い場合について説明すると、図６に示すように吸引車４が下方に向けて送風される送風ファン６１，６２，６３，６４の下流側から第２番目の送風ファン６２の下方位置に配置された際、予め上下逆に取り付けられていた送風ファン６５に加え、下流側から第３番目の送風ファン６３と第４番目の送風ファン６４は、下方に排気口６３ａ，６４ａを向けるべく上下逆さに付け替えられる。さらに排紙台２の枚葉紙Ｐの紙尻の真上位置に配置された下流側から第２番目の送風ファン６２と下流側から第１番目の送風ファン６１とは、下方に排気口６１ａが向けられた状態のままになっている。そして、上昇気流Ｗの領域が変化してもフレーム１１の上面１１ａには編目カバー７３が設けられているので、上昇気流Ｗは確実に排気され、排紙部内部で気流が乱れることを防いでいる。そして、吸引車４から上流側では確実に上昇気流Ｗが発生するので、吸引車４の直前で枚葉紙Ｐは上昇気流Ｗにより上方へ浮上しようとして、水平姿勢を保つことができる。また、枚葉紙Ｐが腰の弱い紙厚の薄いものであっても、吸引車４と吸引車４との間で下方に撓みが生じることはなく、あるいはその撓み量が少なくなる。そのためグリッパ３１が枚葉紙Ｐを放した後において枚葉紙Ｐが吸引車４の支軸４１と接触することなく排紙台２へ移動することとなる。さらに、枚葉紙Ｐが吸引車４を通過して排紙台２の上方へ移動しても、排紙台２の上方位置に配置された送風ファン６１，６２が下向きに気流Ｗ２を発生させているので、確実に排紙台２に落下させることができる。
【図面の簡単な説明】
【００３８】
【図１】本発明の実施形態の概略を示す両面印刷機の排紙部の正面図である。
【図２】本発明の実施形態の排紙部の要部を示す断面Ｘ−Ｘの断面図である。
【図３】本発明の実施形態において吸引車を移動した際の概略を示す両面印刷機の排紙部の正面図である。
【図４】本発明の他の実施形態の概略を示す両面印刷機の排紙部の正面図である。
【図５】本発明の他の実施形態の排紙部の要部を示す断面Ｙ−Ｙの断面図である。
【図６】本発明の他の実施形態において吸引車を移動した際の概略を示す両面印刷機の排紙部の正面図である。
【図７】本発明の実施形態における送風ファンの配置を示すための矢視Ｚから見た矢視図である。
【符号の説明】
【００３９】
２・・・排紙台、３・・・搬送チェーン、４・・・吸引車、５・・・吸引ダクト、１１・・・フレーム、１２・・・内面、１４・・・枠体、１６・・・ステー、１７・・・ブラケット、１８・・・スプロケット、１９・・・駆動チェーン、３１・・・グリッパ、３Ａ・・・往路、３Ｂ・・・復路、４１・・・支軸、４２・・・周面、４３・・・吸引口、５１・・・開口部、５２・・・吸引ファン、６１，６２，６３，６４，６５，６６・・・送風ファン、７１，７２・・・カバー（上面）、７３・・・編目カバー、１１ａ・・・上面、１３ａ・・・棒体、１４ａ・・・横フレーム、１４ｂ・・・縦フレーム、６１ａ，６２ａ，６３ａ，６４ａ，６５ａ，６６ａ・・・排気口、６１ｂ，６２ｂ，６３ｂ，６４ｂ，６５ｂ，６６ｂ・・・吸気口、Ｄ・・・開始地点、Ｐ・・・枚葉紙、Ｐ１・・・前端部、Ｐ２・・・頂点、Ｐ３・・・紙尻
【図１】
2008214079.tif 000003
【図２】
2008214079.tif 000004
【図３】
2008214079.tif 000005
【図４】
2008214079.tif 000006
【図５】
2008214079.tif 000007
【図６】
2008214079.tif 000008
【図７】
2008214079.tif 000009